(57)【要約】【課題】接点反転機構の反転動作ポインとのばらつきを抑制して安定した動作特性を行なうことができる熱動形過負荷継電器を提供する。【解決手段】接点反転機構２１は、一端３５ａを支点とし他端３５ｂ側が揺動自在に配置された可動板３５と、支点を挟んで互いに逆側に位置する可動板の他端側及びばね支持部３２ａの間に張架された反転ばね３６とを備えている。釈放レバー２３は、調整リンク２２に回動自在に支持されるレバー被支持部２８と、このレバー被支持部を挟んで一方の端部に反転ばね押圧部２３ｆ及び他方の端部にカム接触部２３ｇが形成されているとともに、変位したシフタに係合する変位入力部２４とが一体に設けられている。【選択図】図１
2010251278.tif 000002
【特許請求の範囲】
【請求項１】
ケース内に、過負荷電流を検知して湾曲変位する主バイメタルと、調整リンクに回動自在に支持され、前記主バイメタルに連動するシフタの変位に従動する釈放レバーと、この釈放レバーの回動により反転動作を行ない、接点を切り替える接点反転機構とを配置した熱動形過負荷継電器において、
前記接点反転機構は、一端を支点とし他端側が揺動自在に配置された可動板と、前記支点を挟んで互いに逆側に位置する前記可動板の他端側及びばね支持部の間に張架された反転ばねとを備え、
前記釈放レバーは、前記調整リンクに回動自在に支持されるレバー被支持部と、このレバー被支持部を挟んで一方の端部に形成され、前記可動板を反転させる方向に前記反転ばねを押圧する反転ばね押圧部と、前記レバー被支持部を挟んで他方の端部に形成され、前記ケースに設けた調整ダイヤルの偏心カムに押圧されながら接触するカム接触部と、変位した前記シフタに係合することで、前記レバー被支持部回りに前記反転ばね押圧部及び前記カム接触部を回動させる変位入力部とを一体に設けたことを特徴とする熱動形過負荷継電器。
【請求項２】
前記調整リンクは、一端側に、前記ケースに一体に設けた支軸に回動自在に支持される軸受部を設け、他端側に、前記釈放レバーの前記レバー被支持部のみを回転自在に支持するリンク支持部を設けた部材であることを特徴とする請求項１記載の熱動形過負荷継電器。
【請求項３】
前記接点反転機構は、前記可動板の前記一端を前記支点として支持する係合溝と、該可動板の前記他端側が寄り掛かり、倒れ量を一定にして該可動板を倒れた状態で支持する可動板保持腕とを有する反転機構支持部を備えており、
前記反転ばねを、両端に形成したフック状係合部を前記可動板の他端側及び前記反転機構支持部に設けた前記ばね支持部に係合した引張りコイルバネとするとともに、前記可動板保持腕に寄り掛かり倒れた状態で支持されている前記可動板に対して引張り力を付与して保持することを特徴とする請求項１又は２記載の熱動形過負荷継電器。
【請求項４】
前記可動板及び前記引張りコイルバネは、前記反転機構支持部にユニット化して組付けられていることを特徴とする請求項３記載の熱動形過負荷継電器。
【請求項５】
前記反転機構支持部に、常開接点、或いは常閉接点の可動側端子を一体に設けたことを特徴とする請求項３又は４記載の熱動形過負荷継電器。
【請求項６】
前記変位入力部は、前記釈放レバーに固定された温度補償バイメタルであることを特徴とする請求項１乃至５の何れか１項に記載の熱動形過負荷継電器。
【発明の詳細な説明】
【技術分野】
【０００１】
本発明は、過電流を検知したときに接点の切り替えを行なう熱動形過負荷継電器に関するものである。
【背景技術】
【０００２】
主回路に流れる過負荷電流を検知して作動する熱動形過負荷継電器として、例えば特許文献１の装置が知られている。
特許文献１の熱動形過負荷継電器を、図８及び図９を参照して説明する。
図８に示すように、樹脂モールド製の絶縁ケース１内に、三相の各電路に挿入され、ヒータ２ａが巻回された主バイメタル２と、これら主バイメタル２の自由端のそれぞれに係合され、絶縁ケース１に移動可能に支承されているシフタ３と、シフタ３の一端に係合可能に絶縁ケース１内に配置された反転機構４と、反転機構４の動作により接点の切り替えを行なう開閉機構５が収納されている。
【０００３】
反転機構４は、図９にも示すように、シフタ３の一端に係合する温度補償バイメタル７と、この温度補償バイメタル７の他端が固定されている釈放レバー８と、下端から突出したピン９を介して釈放レバー８に連結し、絶縁ケース１に回転自在に配置した調整ダイヤル１１（偏心カム１１ａの周面）に上端が当接している調整リンク１２とを備えている。なお、釈放レバー８の回動角度は、調整ダイヤル１１の調整により、調整ダイヤル１１の偏心カム１１ａの周面に当接する調整リンク１２の位置を変化させ、支軸１３回りに微小に回動させることで設定されている。
【０００４】
開閉機構５は、釈放レバー８に下端部が固定されて上方に延在している反転ばね１４と、この反転ばね１４の先端部が係合しているとともに、常開側可動接点１５ｂ及び常閉側可動接点１６ａを移動させるスライダ１７と、スライダ１７を定常位置に手動で移動させるリセット棒１８とを備えている。また、開閉機構５は、前述した常開側可動接点１５ｂ及び常閉側可動接点１６ａと、これらに対向配置された常開側固定接点１５ａ及び常閉側固定接点１６ｂとを備えている。反転ばね１４は、薄板ばね材の打ち抜きにより打ち抜き部１４ａが形成され、打ち抜き部１４ａの周囲に皿ばね形状の湾曲面が形成された部材であり、図８の定常状態では、反転ばね１４は、右方向に凸状に湾曲している。
【０００５】
上記構成において、過負荷電流によってヒータ２ａが発熱して主バイメタル２が湾曲すると、その自由端の変位によってシフタ３が図８の符号Ｐの矢印方向に移動する。シフタ３が移動すると、温度補償バイメタル７の自由端が押圧されて釈放レバー８が揺動ピン９回りに反時計方向に回動する。
そして、釈放レバー８の反時計方向の回動が進行すると、反転ばね１４は左方向に凸状に湾曲するように変形し、この反転ばね１４の変形により、反転ばね１４の先端部に係合しているスライダ１７を、常開側可動接点１５ｂ及び常開側固定接点１５ａが閉状態となり、常閉側可動接点１６ａ及び常閉側固定接点１６ｂが開状態となるように移動させる。このような反転機構４の反転動作により、常開側可動接点１５ｂ及び常開側固定接点１５ａの閉状態、常閉側可動接点１６ａ及び常閉側固定接点１６ｂの開状態の情報を基に、例えば主回路に接続した電磁接触器（不図示）を開極動作させて過負荷電流を遮断する。
【先行技術文献】
【特許文献】
【０００６】
【特許文献１】特公平７−１６６５号公報
【発明の概要】
【発明が解決しようとする課題】
【０００７】
ところで、上記従来の熱動形過負荷継電器によると、絶縁ケース１の内壁から突出する開閉機構４の支軸１３が径年変化により摩耗すると、調整リンク１２の下端から突出して釈放レバー８を回動自在に支持しているピン９の位置が変化する。このピン９の位置が変化すると、釈放レバー８に固定されている温度補償バイメタル７の位置も変化しまう。
このように、反転機構４の支軸１３の摩耗により温度補償バイメタル７の位置が変化すると、過負荷電流が流れた際の反転機構４の反転動作ポイントがばらつくおそれがあり、熱動形過負荷継電器の動作特性が不安定となるおそれがある。
【０００８】
そこで、本発明は、上記従来例の未解決の課題に着目してなされたものであり、接点反転機構の反転動作ポインとのばらつきを抑制して安定した動作特性を行なうことができる熱動形過負荷継電器を提供することを目的としている。
【課題を解決するための手段】
【０００９】
上記目的を達成するために、本発明に係る熱動形過負荷継電器は、ケース内に、過負荷電流を検知して湾曲変位する主バイメタルと、調整リンクに回動自在に支持され、前記主バイメタルに連動するシフタの変位に従動する釈放レバーと、この釈放レバーの回動により反転動作を行ない、接点を切り替える接点反転機構とを配置した熱動形過負荷継電器において、前記接点反転機構は、一端を支点とし他端側が揺動自在に配置された可動板と、前記支点を挟んで互いに逆側に位置する前記可動板の他端側及びばね支持部の間に張架された反転ばねとを備え、前記釈放レバーは、前記調整リンクに回動自在に支持されるレバー被支持部と、このレバー被支持部を挟んで一方の端部に形成され、前記可動板を反転させる方向に前記反転ばねを押圧する反転ばね押圧部と、前記レバー被支持部を挟んで他方の端部に形成され、前記ケースに設けた調整ダイヤルの偏心カムに押圧されながら接触するカム接触部と、変位した前記シフタに係合することで、前記レバー被支持部回りに前記反転ばね押圧部及び前記カム接触部を回動させる変位入力部とを一体に設けた。
【００１０】
この発明によると、釈放レバーは、可動板を反転させる方向に反転ばねを押圧する反転ばね押圧部と、ケースに設けた調整ダイヤルの偏心カムに押圧されながら接触するカム接触部と、変位したシフタに係合する変位入力部とを一体に設け、トリップ状態のときには、シフタの変位が入力する入力点（変位入力部）、調整ダイヤルの偏心カムに当接する支点（カム接触部）及び反転ばねに押圧力を出力する出力点（反転ばね押圧部）の３点で保持され、調整リンクに殆ど荷重が作用せず、調整リンクは摩耗やクリープによる外乱の影響を受けないので、接点反転機構の反転動作ポイントが一定となり、熱動形過負荷継電器の動作特性が安定する。
【００１１】
また、本発明に係る熱動形過負荷継電器は、前記調整リンクが、一端側に、前記ケースに一体に設けた支軸に回動自在に支持される軸受部を設け、他端側に、前記釈放レバーの前記レバー被支持部のみを回転自在に支持するリンク支持部を設けた部材とする。
この発明によると、調整リンクは釈放レバーのみを支持しているので、トリップ状態においてシフタや反転ばねから荷重が作用せず、クリープによる部材変形を考慮しなくて済み、強度が低下しない安価な材料で製造することが可能となる。
【００１２】
また、発明に係る熱動形過負荷継電器は、前記接点反転機構は、前記可動板の前記一端を前記支点として支持する係合溝と、該可動板の前記他端側が寄り掛かり、倒れ量を一定にして該可動板を倒れた状態で支持する可動板保持腕とを有する反転機構支持部を備えており、前記反転ばねを、両端に形成したフック状係合部を前記可動板の他端側及び前記反転機構支持部に設けた前記ばね支持部に係合した引張りコイルバネとするとともに、前記可動板保持腕に寄り掛かり倒れた状態で支持されている前記可動板に対して引張り力を付与して保持する。
【００１３】
この発明によると、可動板を保持している反転ばねは、可動板３５の他端側が反転機構支持部の可動板保持腕に寄り掛かり、倒れ量が一定に確保されているので、常に一定の引張り力を発生しながら可動板を保持する。また、一定の引張り力で可動板を保持している反転ばねに対して、可動板の反転動作を開始する釈放レバーの反転ばね押圧部の押圧力が一定となる。したがって、釈放レバーの動作ポイントが一定となるので、さらに熱動形過負荷継電器の動作特性が安定する。また、安価な引張りコイルバネを採用することで、熱動形過負荷継電器の製造コストの低減化を図ることが可能となる。
【００１４】
本発明に係る熱動形過負荷継電器は、前記可動板及び前記引張りコイルバネが、前記反転機構支持部にユニット化して組付けられている。また、前記反転機構支持部には、常開接点、或いは常閉接点の可動側端子が一体に設けられている。
この発明によると、熱動形過負荷継電器の製造コストの低減化を促進することが可能となる。
【００１５】
さらに、本発明に係る熱動形過負荷継電器は、前記変位入力部が、前記釈放レバーに固定された温度補償バイメタルである。
この発明によると、シフタの変位が入力する変位入力部材として温度補償バイメタルを採用したことで、周囲の温度変化の補償精度を十分に確保した熱動形過負荷継電器を提供することが可能となる。
【発明の効果】
【００１６】
本発明に係る熱動形過負荷継電器によれば、トリップ状態のときには、シフタの変位が入力する入力点（変位入力部）、調整ダイヤルの偏心カムに当接する支点（カム接触部）及び反転ばねに押圧力を出力する出力点（反転ばね押圧部）の３点で保持され、調整リンクに殆ど荷重が作用せず、調整リンクは摩耗やクリープによる外乱の影響を受けないので、接点反転機構の反転動作ポイントが一定となり、熱動形過負荷継電器の動作特性を安定させることができる。
【図面の簡単な説明】
【００１７】
【図１】本発明に係る熱動形過負荷継電器の要部の定常状態を示す図である。
【図２】本発明に係る熱動形過負荷継電器の調整機構を分解した図である。
【図３】本発明に係る調整ダイヤルに接触する調整機構を示した図である。
【図４】本発明に係る熱動形過負荷継電器の接点反転機構を示した図である。
【図５】（ａ）は定常状態、或いはリセット状態の接点反転機構及び常開接点（ａ接点）を示す図、（ｂ）はトリップ状態の接点反転機構等を示す図である。
【図６】（ａ）は定常状態、或いはリセット状態の接点反転機構及び常閉接点（ｂ接点）を示す図、（ｂ）はトリップ状態の接点反転機構等を示す図
【図７】本発明に係る調整機構の作用を示す図である。
【図８】従来の熱動形過負荷継電器の要部の定常状態を示す図である。
【図９】従来の熱動形過負荷継電器の調整機構を示す図である。
【発明を実施するための形態】
【００１８】
以下、本発明を実施するための最良の形態（以下、実施形態という。）を、図面を参照しながら詳細に説明する。なお、図８及び図９に示した構成と同一構成部材には、同一符号を付してその説明を省略する。
図１から図７は、本発明に係る熱動形過負荷継電器の１実施形態を示すものであり、図１は熱動形過負荷継電器要部の定常状態を示す図、図２は熱動形過負荷継電器の調整機構を分解した図、図３は調整ダイヤルに接触する調整機構を示した図、図４は熱動形過負荷継電器の接点反転機構を示した図、図５（ａ）は定常状態、或いはリセット状態の接点反転機構及び常開接点（ａ接点）を示す図、図５（ｂ）はトリップ状態の接点反転機構を示す図、図６（ａ）は定常状態、或いはリセット状態の接点反転機構及び常閉接点（ｂ接点）を示す図、図６（ｂ）はトリップ状態の接点反転機構を示す図、図７は調整機構の作用を示す図である。
【００１９】
図１に示すように、本実施形態の熱動形過負荷継電器は、絶縁ケース１内に、主バイメタル２の自由端に係合したシフタ３の変位に従動する調整機構２０と、調整機構２０の動作により接点が切り替わる接点反転機構２１と、接点反転機構２１をリセットするリセット棒４３とを備えている。
調整機構２０は、調整リンク２２と、この調整リンクに回動自在に支持された釈放レバー２３と、この釈放レバー２３に固定され、シフタ３に係合する温度補償バイメタル２４とを備えている。
【００２０】
調整リンク２２は、図２に示すように、釈放レバー２３を支持するリンク支持部２５と、リンク支持部２５の一側から下方に延在している脚部２６とで構成されている。
リンク支持部２５は、上部に軸受穴２５ａ１が形成され、互いに対向している一対の対向板２５ａと、これら１対の対向板２５ａの間を連結し、開口部２５ｂを形成した連結板２５ｃとを備えている。脚部２６は一対の対向板２５ａの一方から下方に延在しており、その下部に軸受穴２６ａが形成されている。
【００２１】
そして、図１に示すように、絶縁ケース１の下部側の内壁には、支軸２７が絶縁ケース１内に突出して設けられており、この支軸２７の縮径された先端部に脚部２６の軸受穴２６ａを挿入することで、調整リンク２２全体が、支軸２７を中心として回動自在に絶縁ケース１に支持される。
釈放レバー２３は、図２に示すように、基板２３ａと、基板２３ａの両端から同一方向に略同一の角度で折曲された一対の折曲板２３ｂ，２３ｃとを備えている。そして、一方の折曲板２３ｃ側に、調整リンク２２の一対の軸受穴２５ａ１に挿入される一対の回動軸（レバー被支持部）２３ｄ，２３ｅが形成されている。また、これら回動軸２３ｄ，２３ｅを挟んで他方の折曲板２３ｂの端部に反転ばね押圧部２３ｆが形成されており、一方の折曲板２３ｃにカム接触部２３ｇが形成され、折曲板２３ｂ，２３ｃが折曲されている方向に対して逆側の基板２３ａの裏面に、温度補償バイメタル２４の端部をかしめて固定するかしめ固定部３１が形成されている。
【００２２】
接点反転機構２１は、図４及び図５（ａ）に示すように、絶縁ケース１内に配置したａ接点可動側端子３２と、このａ接点可動側端子３２の近傍に配置され、絶縁ケース１の内壁に設けた支軸３３に回動自在に支持されている連動板３４と、ａ接点可動側端子３２の上部に揺動自在（反転動作及び復帰動作が自在）に配置されている可動板３５と、可動板３５の上部３５ｂが寄り掛かることで可動板３５を倒れた状態で支持する一対の可動板保持腕３２ｂ，３２ｃと、可動板３５の上部３５ｂ側に設けた係合穴３５ｃ及びａ接点可動側端子３２の下部に設けたばね支持部３２ａの間に張架された反転ばね３６とを備えている。反転ばね３６は、引張りコイルばねで構成されており、一対の可動板保持腕３２ｂ，３２ｃに寄り掛かり倒れた状態で支持された可動板３５に対して引張り力を付与しながら保持している。
【００２３】
図５（ａ）に示すように、連動板３４には、可動板３５の反転動作、復帰動作とともに連動板３４を支軸３３回りに回動させる第１係合ピン３９ａが、可動板３５に係合可能に設けられている。
一対の可動板保持腕３２ｂ，３２ｃは、図４に示すように、ａ接点可動側端子３２の上部から連動板３４の面に沿う方向に互いに平行に延在しており、これら一対の可動板保持腕３２ｂ，３２ｃの下端側に係合溝３２ｄが形成されている。そして、定常状態、或いはリセット状態の可動板３５は、図５（ａ）に示すように、下部３５ａが係合溝３２ｄに係合し、上部３５ｂが一対の可動板保持腕３２ｂ，３２ｃの上部に当接することで、倒れた状態で保持されている。また、トリップ状態の可動板３５は、図５（ｂ）に示すように、係合溝３２ｄに係合した下部３５ａを支点として上部３５ｂが一対の可動板保持腕３２ｂ，３２ｃの上部から離間する方向に揺動する。
【００２４】
一方、図５（ａ）に示すように、ａ接点可動側端子３２には、ａ接点固定側端子３７が自由端を上方に延在した状態で並設されており、このａ接点固定側端子３７の自由端側にａ接点３８の固定接点３８ａが固定され、可動板３５の上部３５ｂに、固定接点３８ａに接続するａ接点３８の可動接点３８ｂが固定されている。
また、図６（ａ）に示すように、連動板３４を間に挟んでａ接点３８に対する逆側の位置にも、常閉接点（ｂ接点）側板ばね４０が自由端を上方に延在した状態で配置されているとともに、このｂ接点側板ばね４０に対向した状態で接点支持板４１が配置されている。ｂ接点側板ばね４０は、自由端が連動板３４の一部に係合可能に配置されており、連動板３４の回動とともに同一方向に回動する。そして、ｂ接点側板ばね４０の自由端側にｂ接点４２の可動接点４２ｂが固定され、接点支持板４１に、可動接点４２ｂに接続するｂ接点４２の固定接点４２ａが固定されている。また、ｂ接点側板ばね４０には、ｂ接点可動側端子４０ａが一体に設けられ、接点支持板４１には、ｂ接点固定側端子４１ａ一体に設けられている。
【００２５】
さらに、リセット棒４３は、図１に示すように、絶縁ケース１内に手動で押し込むリセットボタン部４３ａと、図５（ｂ）のａ接点側板ばね３７に接触することでトリップ状態となっている可動板３５を初期位置（定常状態）に戻す斜面４３ｂとを備えている。
次に、本実施形態の熱動形過負荷継電器の動作について説明する。
図１に示すように、過負荷電流によってヒータ２ａが発熱して主バイメタル２が湾曲すると、その自由端の変位によってシフタ３が図１の符号Ｑの矢印方向に変位する。変位したシフタ３によって温度補償バイメタル２４の自由端が押圧されると、温度補償バイメタル２４に一体化された釈放レバー２３が、調整リンク２２に支持された回動軸２３ｄ，２３ｅ回りに時計方向に回動していき、釈放レバー２３の反転ばね押圧部２３ｆが反転ばね３６を押圧する。
【００２６】
そして、反転ばね押圧部２３ｆの押圧力が、反転ばね３６のばね付勢力（引張り力）の分力（前記押圧力に抗する方向の力）を上回ると、下部３５ａを支点とした可動板３５の反転動作が開始される。ここで、可動板３５は、その上部３５ｂが一対の可動板保持腕３２ｂ，３２ｃに寄り掛かり、倒れ量が一定に確保されており、可動板３５を保持する反転ばね３６には一定の引張り力が発生している。この一定の引張り力が発生している反転ばね３６に対して反転ばね押圧部２３ｆの押圧力が作用する。そして、反転ばね押圧部２３ｆに押圧されて可動板３５の反転動作が進行すると反転ばね３６の引張り力が徐々に増大していき、可動板３５の下部３５ａ及び上部３５ｂを結んだ線状に反転ばね３６のばね軸線が一致したときに反転ばね３６の引張り力が最大となり、さらに可動板３５の反転動作が進行して一対の可動板保持腕３２ｂ，３２ｃから離間する方向に上部３５ｂが移動すると、反転ばね３６の引張り力が徐々に減少していく。
【００２７】
また、この可動板３５の反転動作とともに、第１係合ピン３９ａを介して可動板３５の反転動作が伝達された連動板３４も、支軸３３回りに回動する（図５（ｂ）、図６（ｂ）参照）。
これにより、図５（ａ）の開状態となっていたａ接点３８の固定接点３８ａ及び可動接点３８ｂが接続し、図６（ａ）の閉状態となっていたｂ接点４２の固定接点４２ａ及び可動接点４２ｂが接続し、これらａ接点３８及びｂ接点４２の情報を基に、例えば主回路に接続した電磁接触器（不図示）を開極動作させて過負荷電流を遮断する。
【００２８】
そして、主回路電流の遮断後、主バイメタル２の湾曲が十分に戻ったところで、リセットボタン部４３ａを押し込むと、リセット棒４３の斜面４３ｂが、図５（ｂ）のトリップ状態となっている可動板３５に対してａ接点側板ばね３７を介してリセット荷重を作用し、可動板３５を初期状態の位置に戻すとともに（可動板３５の復帰動作）、第１係合ピン３９ａを介して連動板３４を初期状態（定常状態）の位置に戻すことで、熱動形過負荷継電器をリセットする。
【００２９】
次に、本実施形態の熱動形過負荷継電器の作用効果について説明する。
本実施形態の釈放レバー２３は、カム接触部２３ｇ及び反転ばね押圧部２３ｆが形成されているとともに、温度補償バイメタル２４の一端が固定された部材である。トリップ状態のときには、図７に示すように、シフタ３の変位が入力する入力点（温度補償バイメタル２４）、調整ダイヤル１１の偏心カム１１ａの周面に当接する支点（カム接触部２３ｇ）及び反転ばね３６に押圧力を出力する出力点（反転ばね押圧部２３ｆ）の３点で支持される。
【００３０】
このように、本実施形態の調整機構２０は、入力点、支点及び出力点の３点で保持され、調整リンク２２に殆ど荷重が作用せず、調整リンク２２は摩耗やクリープによる外乱の影響を受けないので、接点反転機構２１の反転動作ポイントが一定となり、動作特性が安定した熱動形過負荷継電器を提供することができる。
また、本実施形態の調整リンク２２は、絶縁ケース１の下部側の内壁から突出している支軸２７に、脚部２６が回動自在に支持されている。ここで、支軸２７が径年変化により摩耗したり、製造誤差により支軸２７の位置ずれが発生し、図７の一点鎖線に示すように脚部２６の位置が変化しても、調整リンク２２は釈放レバー２３のみを支持する部材なので、支軸２７の径年変化や位置ずれによって熱動形過負荷継電器の動作特性に対して悪影響を与えることがない。
【００３１】
また、可動板３５を保持している反転ばね３６は、可動板３５の上部３５ｂがａ接点可動側端子３２の一対の可動板保持腕３２ｂ，３２ｃに寄り掛かり、倒れ量が一定に確保されているので、常に一定の引張り力を発生しながら可動板３５を保持している。また、一定の引張り力で可動板３５を保持している反転ばね３６に対して、可動板３５の反転動作を開始する釈放レバー２３の反転ばね押圧部２３ｆの押圧力が一定となる。したがって、釈放レバー２３の動作ポイントが一定となるので、さらに動作特性が安定した熱動形過負荷継電器を提供することができる。
【００３２】
そして、調整リンク２２は釈放レバー２３のみを支持しているので、トリップ状態においてシフタ３や反転ばね３６から荷重が作用せず、クリープによる部材変形を考慮しなくて済むので、強度を重視しない安価な部材で製造することができる。
また、反転ばね３６として、安価な引張りコイルばねを採用したことで、熱動形過負荷継電器の製造コストの低減化を図ることができる。
【００３３】
また、接点反転機構２１を構成するａ接点可動側端子３２には、可動板３５、反転ばね３６がユニット化されて一体に設けられているので、熱動形過負荷継電器の製造コストの低減化を促進することができる。
さらに、シフタ３の変位が入力する部材として温度補償バイメタル２４を採用したことで、周囲の温度変化の補償精度を十分に確保した熱動形過負荷継電器を提供することができる。
【符号の説明】
【００３４】
１…絶縁ケース（ケース）、２…主バイメタル、２ａ…ヒータ、３…シフタ、１１…調整ダイヤル、１１ａ…偏心カム、２０…調整機構、２１…接点反転機構、２２…調整リンク、２３…釈放レバー、２３ａ…基板、２３ｂ，２３ｃ…折曲板、２３ｄ，２３ｅ…回動軸（レバー被支持部）、２３ｆ…反転ばね押圧部、２３ｇ…カム接触部、２４…温度補償バイメタル（変位入力部）、２５…リンク支持部、２５ａ１…軸受穴（リンク支持部）、２５ａ…対向板、２５ｂ…開口部、２５ｃ…連結板、２６…脚部、２６ａ…軸受穴（軸受部）、２７…支軸、３１…かしめ固定部、３２…ａ接点可動側端子（反転機構支持部）、３２ａ…ばね支持部、３２ｂ，３２ｃ…可動板保持腕、３２ｄ…係合溝、３３…支軸、３４…連動板、３５…可動板、３５ａ…下部（可動板の一端）、３５ｂ…上部（可動板の他端）、３５ｃ…係合穴、３６…反転ばね、３７…ａ接点固定側端子、３８…ａ接点、３８ａ…ａ接点の固定接点、３８ｂ…ａ接点の可動接点、３９ａ…第１係合ピン、４０…ｂ接点側板ばね、４０ａ…ｂ接点可動側端子、４１…接点支持板、４１ａ…ｂ接点固定側端子、４２…ｂ接点、４２ｂ…ｂ接点の可動接点、４２ａ…ｂ接点の固定接点、４３…リセット棒、４３ａ…リセットボタン部、４３ｂ…斜面
【図１】
2010251278.tif 000003
【図２】
2010251278.tif 000004
【図３】
2010251278.tif 000005
【図４】
2010251278.tif 000006
【図５】
2010251278.tif 000007
【図６】
2010251278.tif 000008
【図７】
2010251278.tif 000009
【図８】
2010251278.tif 000010
【図９】
2010251278.tif 000011